(57)【要約】  本発明は、調理器具の部材に属する容器（１）に握り柄（２）を取り付ける取付システム（３）に関するものである。本発明に係る取付システム（３）は、容器（１）に取り付けられている本体（１３）を有する止め金具（４）と、止め金具（４）を取り囲み、側壁（１０）と環状肩部（１１）とを有する燃焼保護材（５）とを備えている。本発明によれば、止め金具（４）は、フランジリング（１４）を有しており、容器（１）に取り付けられている本体（１３）の端部（６）からフランジリング（１４）までの距離と、容器（１）と接触することになる側壁（１０）の端部から環状肩部（１１）までの距離とは、握り柄（２）が容器（１）の方に動かされるときに、側壁（１０）が容器（１）に接触する直前に、環状肩部（１１）がフランジリング（１４）に接触するような距離となっている。
2007513663.tif 000002
【特許請求の範囲】
【請求項１】
調理器具の部材である容器（１）に握り柄（２）を取り付ける取付システム（３）であって、
上記容器（１）に取り付けられた本体（１３）を有する止め金具（４）と、
上記止め金具（４）の周囲に設けられた燃焼保護材（５）とを備え、
上記燃焼保護材（５）は、
側壁（１０）と、
該側壁（１０）から内側に突出し、上記止め金具（４）が通る開口部（１６）を形成する環状肩部（１１）とを備え、
上記止め金具（４）は、上記本体（１３）から外側に突出するフランジリング（１４）を有し、
上記容器（１）に取り付けられた上記本体（１３）の端部（６）から上記フランジリング（１４）までの距離と、該容器（１）に接触することになる上記側壁（１０）の端部から上記環状肩部（１１）までの距離とは、上記握り柄（２）が該容器（１）に近づくときに、上記燃焼保護材（５）の側壁（１０）の端部が該容器（１）に接触する直前に、該環状肩部（１１）が該フランジリング（１４）に接触するような距離となっていることを特徴とする取付システム（３）。
【請求項２】
上記環状肩部（１１）は、上記燃焼保護材（５）の上記側壁（１０）と一体形成となっていることを特徴とする請求項１に記載の取付システム（３）。
【請求項３】
上記フランジリング（１４）は、上記止め金具（４）の上記本体（１３）と一体形成となっていることを特徴とする請求項１または２に記載の取付システム（３）。
【請求項４】
上記フランジリング（１４）は、上記容器（１）に取り付けられた上記止め金具（４）の上記端部（６）に位置していることを特徴とする請求項１〜３の何れか１項に記載の取付システム（３）。
【請求項５】
容器（１）と、
握り柄（２）と、
上記容器（１）に上記握り柄（２）を取り付ける、請求項１〜４に何れか１項に記載の取付システム（３）とを備えることを特徴とする調理器具。
【発明の詳細な説明】
【発明の詳細な説明】
【０００１】
本発明は、蒸し焼き用鍋、片手鍋、スープ鍋、フライパン等の料理器具の容器に握り柄を取り付ける取付システムに関するものである。
【０００２】
そのようなシステムとして、容器に取り付けられた本体を有する止め金具と、該止め金具の周囲に設けられている燃焼保護材を備えるものが知られており、該燃焼保護材は、側壁と、該側壁から内側に突出し、該止め金具が通る開口部を形成する環状肩部とを備えている。
【０００３】
特許文献ＧＢ１５５５０３１には、そのような取付システムが開示されている。握り柄が容器に近づけられ、止め金具のねじ穴に（握り柄の開口部に通してある）ねじを堅く締めることによって、該握り柄が該容器に取り付けられるとき、燃焼保護材は、握り柄に近づき、容器と接触する。過度のねじ締めの回転力がねじに加えられる場合には、容器の側壁上において該容器のすぐ近くに備えられている燃焼保護材の側壁の端部によってかけられる圧力によって、容器の側壁が変形してしまう虞がある。また、ゆっくりと、締め付けられるねじに加えられる、ねじ締めの回転力は、かなり弱く（２Ｎｍオーダーに）なり、長期的にはねじが外れてしまうことになる。
【０００４】
上記のように生じる問題に対して、容器が変形する危険なしに、かなりのねじ締めの回転力に対応することが可能な取付システムを提供する。
【０００５】
本発明によれば、上述の型式の取付システムにおいて、止め金具は、本体から外部へ突出するフランジリングを有しており、容器に取り付けられている本体の端部からフランジリングまでの距離と、容器に接触することになる側壁の端部から環状肩部までの距離とは、握り柄が容器に近づくときに、燃焼保護材の側壁の端部が容器に接触する直前に、環状肩部がフランジリングに接触するような距離となっている。
【０００６】
従って、握り柄が容器に近づくように動かされるとき、燃焼保護材が容器と接触する前に止め金具と接触するため、容器の側壁は変形しない。この結果、燃焼保護材がその役割を果たすことができる。肩部がフランジリングに接触するとき、燃焼保護材の側壁の端部は、容器に非常に近くなり、より大きなねじの回転力を負荷することによって、該肩部は、燃焼保護材の側壁の端部が容器に接触するように、わずかに変形する。結果として、容器の側壁は、かなりのねじ締めの回転力（８Ｎｍまで）がねじに加えられたとしても、変形しない。
【０００７】
本発明の他の優れた点および特徴は、一例として示され、かつ、付随する図面によって図示される、詳細な実施形態の記載から明らかになるであろう。
【０００８】
唯一の図面は、本発明に係る取付システムを適用した調理用具の部分断面図を表している。
【０００９】
図１から明らかなように、調理器具は、容器１と、握り柄２と、該容器１に該握り柄２を取り付ける取付システム３とを備えている。
【００１０】
取付システム３は、止め金具４と燃焼保護材５とを備えている。止め金具４は、第１端部６によって容器１に取り付けられており、第１端部６と対向している第２端部７と、ねじ穴８とを有している。ねじ穴８によって、握り柄２は、容器１の方に移動させることができ、締付手段９（ここでは、締付ねじ９）と一緒に容器１に取り付けることができる。燃焼保護材５は、側壁１０を有し、止め金具４の周囲に設けられており、容器１近くの握り柄２の端部を炎から守る。
【００１１】
また、図から明らかなように、燃焼保護材５は、環状肩部１１を有している。環状肩部１１は、側壁１０と同一材であり、該側壁１０から半径方向内側に突出しているとともに、止め金具４が通る開口部１２を形成している。本実施形態によれば、環状肩部１１は、側壁１０と一体形成となっている。
【００１２】
本実施形態では、止め金具４は、第１端部６を形成する本体１３を有しており、該第１端部６は、容器１に溶接されている。また、止め金具４は、フランジリング１４を有している。フランジリング１４は、本体１３と同一材であり、該本体１３から半径方向外側に突出している。本実施形態では、フランジリング１４は、本体１３と一体形成となっている。さらに、フランジリング１４は、止め金具４の第１端部６から伸びている。
【００１３】
加えて、握り柄２は、第１端部１５を有しており、該第１端部１５は、該握り柄２が容器１に取り付けられるとき、燃焼保護材５の側壁１０内部に配置されることとなる。
【００１４】
ねじ９は、第１端部１５を貫通している開口部１６から、止め金具４のねじ穴８へと導入される。開口部１６は、ねじ９の頭部１８が通ることが可能な程度の直径をもつ第１部分１７と、その先にある、ねじ９の円筒部２０と殆ど同じ直径をもつ第２部分と、最後に、さらに先にある、直径が第２部分１９の直径よりも大きい第３部分とを有しており、この第３部分２１は、止め金具４を受け入れる。ねじが締められる効果として、握り柄２は、容器１に近づけられ、ねじ穴８を有する止め金具４の一部は、環状肩部１１がフランジリング１４に接触するまで、第３部分に差し込まれる。
【００１５】
環状肩部１１がフランジリング１４に接触するとき、握り柄の反対側の側壁１０の端部は、容器１と非常に近くなり、ねじ締めを続けることによって、環状肩部１１はこの端部が容器１に接触するように変形する。このように、ねじに対して、８Ｎｍオーダーのねじ締めの回転力を加えることが可能となる。
【００１６】
燃焼保護材５の剛性により、上記肩部およびその厚さを形成することができる。
【００１７】
もちろん、本実施形態は、一例にすぎず、そこから多数の変形例を生み出すことができる。
【００１８】
このように、環状肩部および側壁は、２つの相異する部材であって、互いに組み合わされてもよい。同様のことが、フランジリング、および、止め金具の本体にも適用される。
【００１９】
さらに、フランジリングは、本体の第１端部から伸びていなくてもよい。
【図面の簡単な説明】
【００２０】
【図１】図１は、本発明に係る取付システムに適用した調理用具の部分断面図である。
【図１】
2007513663.tif 000003
【国際調査報告】
2007513663.tif 000004
2007513663.tif 000005
2007513663.tif 000006
2007513663.tif 000007